(57)【要約】      （修正有）【課題】撮影環境を簡単に作ることが出来るとともに、軽く、小さく、コンパクトに折り畳んで持ち運びすることが可能な可搬式撮影スタジオキットを提供する。【解決手段】支持体１０は、ベースとなるベースパイプ１０ａの両端１０ａ１、１０ａ２に、ベースパイプの長手方向と垂直に二本の端部パイプ１０ｂ、１０ｃをそれぞれ接続している。二本の回動パイプ１１ａ、１１ｂは、一端１１ａ１、１１ｂ２を、二本の端部パイプのそれぞれに軸支して、端部パイプの回りに回動可能に連結させ、且つ、ベースパイプと並列可能である。二本の伸縮パイプ１２ａ、１２ｂは、一端１２ａ１、１２ｂ１を、二本の回動パイプの他端１１ａ２、１１ｂ２のそれぞれに、回動パイプの長手方向に沿って伸縮可能に設けられている。二つの把持部１３ａ、１３ｂは、二本の伸縮パイプの他端１２ａ２、１２ｂ２のそれぞれに設けられている。【選択図】図１
0003232875.tif 000002
【実用新案登録請求の範囲】
【請求項１】
ベースとなるベースパイプの両端に、前記ベースパイプの長手方向と垂直に二本の端部パイプをそれぞれ接続した支持体と、
一端を、前記二本の端部パイプのそれぞれに軸支して、前記端部パイプの回りに回動可能に連結させ、且つ、前記ベースパイプと並列可能な二本の回動パイプと、
一端を、前記二本の回動パイプの他端のそれぞれに、前記回動パイプの長手方向に沿って伸縮可能に設けられた二本の伸縮パイプと、
前記二本の伸縮パイプの他端のそれぞれに設けられた二つの把持部と、
シートと、
を備え、
前記支持体を床面に設置し、前記二本の回動パイプのそれぞれを前記ベースパイプから回動させて、前記支持体と前記二本の回動パイプとで碗状に構成し、前記二本の回動パイプのそれぞれに収縮された前記二本の伸縮パイプを伸ばして、前記シートの上方の両端のそれぞれを、前記二つの伸縮パイプにおける二つの把持部のそれぞれに把持することで、前記シートを上下左右の四方向に広げ、前記シートの背面に、カメラ用の光源を設けることで、撮影スタジオを構成する、
可搬式撮影スタジオキット。
【請求項２】
ベースとなるベースパイプの両端に、前記ベースパイプの長手方向と垂直に二本の端部パイプをそれぞれ接続した支持体と、
一端を、前記二本の端部パイプのそれぞれに軸支して、前記端部パイプの回りに回動可能に連結させ、且つ、前記ベースパイプと並列可能な二本の回動パイプと、
一端を、前記二本の回動パイプの他端のそれぞれに、前記回動パイプの長手方向に沿って伸縮可能に設けられた二本の伸縮パイプと、
前記二本の伸縮パイプの他端のそれぞれに設けられた二つの把持部と、
長手方向の長さを、前記回動パイプの長手方向の長さよりも短くし、一端を、前記二本の端部パイプのうち、前記二本の回動パイプのそれぞれが軸支された二つの位置と異なる二つの位置で、且つ、相互に対向する二つの位置のそれぞれに軸支して、前記端部パイプの回りに回動可能に連結させ、且つ、前記ベースパイプと並列可能な二本の小回動パイプと、
一端を、前記二本の小回動パイプの他端のそれぞれに、前記小回動パイプの長手方向に沿って伸縮可能に設けられた二本の小伸縮パイプと、
前記二本の小伸縮パイプの他端のそれぞれに設けられた二つの小把持部と、
二枚のシートと、
を備え、
前記支持体を床面に設置し、前記二本の回動パイプと前記二本の小回動パイプとのそれぞれを前記ベースパイプから回動させて、前記支持体と前記二本の回動パイプと前記二本の小回動パイプとで碗状に構成し、前記二本の回動パイプと前記二本の小回動パイプとのそれぞれに収縮された前記二本の伸縮パイプと前記二本の小伸縮パイプとを伸ばして、前記第一のシートの上方の両端のそれぞれを、前記二つの伸縮パイプにおける二つの把持部のそれぞれに把持するとともに、前記第二のシートの上方の両端のそれぞれを、前記二つの小伸縮パイプにおける二つの小把持部のそれぞれに把持することで、前記第一のシートと前記第二のシートとを上下左右の四方向に広げ、且つ、前記第一のシートと前記第二のシートとで二重の壁面とし、前記壁面の背面に、カメラ用の光源を設けることで、撮影スタジオを構成する、
可搬式撮影スタジオキット。
【考案の詳細な説明】
【技術分野】
【０００１】
本考案は、可搬式撮影スタジオキットに関する。
【背景技術】
【０００２】
従来、任意の場所で綺麗な写真撮影をすることが可能な可搬式の撮影スタジオに関する技術が多数存在する。例えば、米国特許第３９６７３０１号明細書（特許文献１）には、写真撮影のための台座および半透明のプラスチックのシートのためのハンガーを有するスタンドが開示されている。台座とハンガーは、いずれも、ベースに対して高さと水平距離を調整可能であり、シートは、ハンガーによって吊り下げされる。シートには、台座を支えるアームを伸ばすための開口部が設けられる。ランプは、シートの裏面を照らすために設けられ、ベースに取り付けられる。シートの下部は、床に沿って前方に湾曲する場合がある。これにより、ニュートラルな背景又は所望の色の背景を提供することが出来るとしている。
【０００３】
又、特公昭４４−００９７０４号公報（特許文献２）には、反射板、閃光発光部、電源部、スタンド、支杆等の要部により構成される、傘状の折畳反射板を具備した写真用携帯閃光発光器が開示されている。これにより、組立て解体に要する労力が僅少で運搬移動に適し、閃光発光部の発光光量が一定であっても反射角度の調節によって撮影意図に適応した正面をなし得、屋内外を問わず撮影地に適し、反射効率の良好な閃光発光器を提供することが出来るとしている。
【０００４】
又、特開２０１６−０５４１３３号公報（特許文献３）には、被写体を照明するための照明器具を支持体上に取り付けるための雲台が開示されている。この雲台では、被写体を照明する照明器具を三脚等の支持体上に取り付けるための雲台を、支持体上に固定する取付台部と、その上に取り付ける固定用アタッチメントにより構成する。アタッチメントは、照明器具の固定座を設けた基部に、固定座上の照明器具を迂回して上方に延びる支持腕を連設したものとし、支持腕における腕先端部に、リフレクターの中心部の軸棒を固定する固定孔を開設し、基部に設けた照明器具の固定座と、支持腕における固定孔との位置的関係を、固定座に固定した照明器具の発光部が固定孔に取り付けたリフレクターの中心部に隣接配置されるように設定する。これにより、被写体を照明する照明器具を三脚等の支持体上に取り付けるとき、照明器具の発光部をリフレクターの中心に可及的に近づけ得る使い勝手がよいとしている。
【０００５】
又、特開２００２−２５８３６５号公報（特許文献４）には、写真撮影用均一照明ユニットが開示されている。このユニットでは、被写体への照明光を拡散させるための一対の光拡散板と、各光拡散板を保持し左右に配置される一対の保持フレームと、一端部が一つの保持フレームの前端に枢支され他端部が他方の保持フレームの前端に係合することができる一対のつっかい棒とを有する。一対の保持フレームは、相互間隔を広げたり、重なり合った状態に狭めたりすることができ、一対の保持フレームの相互間隔が広がった状態で、一対のつっかい棒により一対の保持フレームの前面側を連結することができる。これにより、使用時には被写体を均一に照明するための光拡散用の箱体状に簡単に形成でき、不使用時にはパネル状に簡単に折りたたむことができる取り扱いが容易で保管時に嵩張らないとしている。
【０００６】
又、実用新案登録第３１１１６８０号公報（特許文献５）には、写真撮影用の照明を設置する照明架台が開示されている。この照明架台は、下面枠、上面枠、および、下面枠と上面枠とを連結する支柱から構成されている。上面枠、下面枠、および、支柱は、端面に凹凸部を有する複数の部材を繋ぎ合わせて組み立てられ、上面枠を傾斜した位置で固定することにより、上面枠に設置する照明の角度を調整できる。これにより、簡便な構造で、しかも、分解して容易に持ち運べるとしている。
【０００７】
又、特開２００６−１７１０８８号公報（特許文献６）には、撮影ライティング装置が開示されている。この装置では、支柱が立設された架台と、高さを調整して支柱間に支持され上方から被写体に光を照射する蛍光灯面光源と、支柱に取り付けられ第２のアームの高さ及び被写体との間隔が調整されるバックシートアームと、第２のアームから垂下され被写体の背後に配置されるバックシートと、被写体を載置して支柱間に支持され、高さの調整と共に載置面のスライドと傾斜が可能な載置体を備える。そして、近距離撮影のために過度に遠近が強調された構図を載置体の操作で陰影の変化を低減して修正出来る。これにより、携行が容易で、電源事情にあまり影響されずに多様なライティングのニーズに自在に対応でき、コンパクトで操作性に優れ、近距離撮影による問題を容易に解消できるとしている。
【０００８】
一方、本出願人は、可搬式撮影スタジオと可搬式撮影台を出願し、権利化している。実用新案登録第３２２４４８４号公報（特許文献７）には、ホルダーと、三脚と、カメラの撮影と連動して発光するストロボと、ストロボ用アダプタと、２本の棒と、光拡散反射シートとを備える可搬式撮影スタジオが開示されている。このスタジオでは、ホルダーの三脚用接続部を、立脚させた三脚の上端部に接続し、ストロボを接続したアダプタをホルダーのストロボ用接続部に接続し、２本の棒の一端部のそれぞれを、ホルダーの２つの係合凹部のそれぞれに装着し、光拡散反射シートの上方の両端のそれぞれを、２本の棒の他端部に設けられた把持部のそれぞれに把持することで、光拡散反射シートを上下左右の四方向に広げ、四方向に広げた光拡散反射シートに対してストロボを上下左右方向に回動させ、ストロボの発光部を所定方向に向けて固定する。これにより、狭い場所でも大きな面光源や撮影用背景、レフ板を得ることが出来るとともに、女性一人でも手軽に携帯し、且つ、簡単に組み立てることが可能となる。
【０００９】
又、実用新案登録第３２２６１０７号公報（特許文献８）には、可搬式撮影台が開示されている。この撮影台では、枠体が、８本のパイプを直列に並べ、隣り合うパイプの一端を支柱で軸支し、支柱の周りに回動可能に連結して、折り畳み可能に構成される。装着用パイプが、枠体の両端に位置する２本のパイプを端部パイプとし、２本の端部パイプの他端のそれぞれに装着される。また、壁面用パイプが、複数のパイプをコの字状に着脱可能に構成し、枠体の中央に位置する２本のパイプの外側両端にそれぞれ軸支された２本の支柱を壁面用支柱として、両端が、２本の壁面用支柱の上端にそれぞれ装着される。更に、クッションと、シートと、複数のクリップと、を備える。これにより、狭い場所でも簡単に、綺麗な写真を撮影出来る環境を作ることが出来、軽く小さくコンパクトに折り畳んで持ち運びすることが可能となる。
【先行技術文献】
【特許文献】
【００１０】
【特許文献１】米国特許第３９６７３０１号明細書
【特許文献２】特公昭４４−００９７０４号公報
【特許文献３】特開２０１６−０５４１３３号公報
【特許文献４】特開２００２−２５８３６５号公報
【特許文献５】実用新案登録第３１１１６８０号公報
【特許文献６】特開２００６−１７１０８８号公報
【特許文献７】実用新案登録第３２２４４８４号公報
【特許文献８】実用新案登録第３２２６１０７号公報
【考案の概要】
【考案が解決しようとする課題】
【００１１】
近年、カメラマンが、顧客の元へ出向いて写真撮影を行う出張撮影サービスが登場してきている。出張撮影サービスのうち、例えば、マタニティフォトやニューボーンフォトの場合、撮影場所は、顧客の自宅や住居であることが多く、カメラマンは、リビングルームやダイニングルーム等の狭い場所で、綺麗な写真を撮影するための撮影環境を作る必要がある。
【００１２】
撮影環境は、例えば、カメラマンが、狭い平面の場所に、赤ちゃん等の被写体を置くことが可能な撮影台やクッションを設置し、背景となるシートを広げることで作られる。
【００１３】
ここで、撮影場所は、顧客の自宅や住居であるため、生活品に溢れ、写真撮影可能な背景に何もない場所が殆ど無い。そのため、カメラマンが、撮影場所で綺麗な写真を撮影するための良好な撮影環境を作る必要がある。
【００１４】
一方、市販品として、背景となる大きなシートを有する可搬式撮影スタジオは存在するが、このような可搬式撮影スタジオでは、装置全体が大きく、一人のカメラマンが持ち運ぶには、多大な労力を要するという課題がある。
【００１５】
特許文献１に記載の技術では、被写体をアームに設置することを前提としているとともに、折り畳んでコンパクトにし難いという課題がある。特許文献２に記載の技術では、傘状の折畳反射板であり、背景となる大きなシートとして機能し難いという課題がある。特許文献３に記載の技術では、リフレクターが傘状であり、上述と同様に、背景となる大きなシートとして機能し難いという課題がある。特許文献４、５に記載の技術では、箱状の形態を基本としており、部品点数が多く、構造が複雑で、手軽に撮影用背景を構成することが出来ないという課題がある。特許文献６に記載の技術では、大掛かりな撮影ライティング装置を基本としているため、手軽に撮影用背景を作ることが出来ないとともに、一人のカメラマンが持ち運べるか否か不明である。
【００１６】
特許文献７、８に記載の技術では、可搬の容易性や組立の簡易性を満たし、ある程度、コンパクトに構成することが出来たものの、改善の余地があった。
【００１７】
そこで、本考案は、課題を解決するためになされたものであり、綺麗な写真を撮影出来る撮影環境を簡単に作ることが出来るとともに、軽く、小さく、女性一人でもコンパクトに折り畳んで持ち運びすることが可能な可搬式撮影スタジオキットを提供することを目的とする。
【課題を解決するための手段】
【００１８】
本考案に係る可搬式撮影スタジオキットは、支持体と、二本の回動パイプと、二本の伸縮パイプと、二つの把持部と、シートと、を備える。支持体は、ベースとなるベースパイプの両端に、前記ベースパイプの長手方向と垂直に二本の端部パイプをそれぞれ接続している。二本の回動パイプは、一端を、前記二本の端部パイプのそれぞれに軸支して、前記端部パイプの回りに回動可能に連結させ、且つ、前記ベースパイプと並列可能である。二本の伸縮パイプは、一端を、前記二本の回動パイプの他端のそれぞれに、前記回動パイプの長手方向に沿って伸縮可能に設けられている。二つの把持部は、前記二本の伸縮パイプの他端のそれぞれに設けられている。
【００１９】
本考案に係る可搬式撮影スタジオは、前記支持体を床面に設置し、前記二本の回動パイプのそれぞれを前記ベースパイプから回動させて、前記支持体と前記二本の回動パイプとで碗状に構成し、前記二本の回動パイプのそれぞれに収縮された前記二本の伸縮パイプを伸ばして、前記シートの上方の両端のそれぞれを、前記二つの伸縮パイプにおける二つの把持部のそれぞれに把持することで、前記シートを上下左右の四方向に広げ、前記シートの背面に、カメラ用の光源を設けることで、撮影スタジオを構成する。
【００２０】
更に、本考案に係る可搬式撮影スタジオキットは、支持体と、二本の回動パイプと、二本の伸縮パイプと、二つの把持部と、二本の小回動パイプと、二本の小伸縮パイプと、二つの小把持部と、二枚のシートと、を備える。支持体と、二本の回動パイプと、二本の伸縮パイプと、二つの把持部と、は、上述と同様である。二本の小回動パイプは、長手方向の長さを、前記回動パイプの長手方向の長さよりも短くし、一端を、前記二本の端部パイプのうち、前記二本の回動パイプのそれぞれが軸支された二つの位置と異なる二つの位置で、且つ、相互に対向する二つの位置のそれぞれに軸支して、前記端部パイプの回りに回動可能に連結させ、且つ、前記ベースパイプと並列可能である。二本の小伸縮パイプは、一端を、前記二本の小回動パイプの他端のそれぞれに、前記小回動パイプの長手方向に沿って伸縮可能に設けられる。二つの小把持部は、前記二本の小伸縮パイプの他端のそれぞれに設けられる。
【００２１】
本考案に係る可搬式撮影スタジオキットは、前記支持体を床面に設置し、前記二本の回動パイプと前記二本の小回動パイプとのそれぞれを前記ベースパイプから回動させて、前記支持体と前記二本の回動パイプと前記二本の小回動パイプとで碗状に構成し、前記二本の回動パイプと前記二本の小回動パイプとのそれぞれに収縮された前記二本の伸縮パイプと前記二本の小伸縮パイプとを伸ばして、前記第一のシートの上方の両端のそれぞれを、前記二つの伸縮パイプにおける二つの把持部のそれぞれに把持するとともに、前記第二のシートの上方の両端のそれぞれを、前記二つの小伸縮パイプにおける二つの小把持部のそれぞれに把持することで、前記第一のシートと前記第二のシートとを上下左右の四方向に広げ、且つ、前記第一のシートと前記第二のシートとで二重の壁面とし、前記壁面の背面に、カメラ用の光源を設けることで、撮影スタジオを構成する。
【考案の効果】
【００２２】
本考案によれば、綺麗な写真を撮影出来る撮影環境を簡単に作ることが出来るとともに、軽く、小さく、女性一人でもコンパクトに折り畳んで持ち運びすることが可能となる。
【図面の簡単な説明】
【００２３】
【図１】本考案の実施形態に係る可搬式撮影スタジオキットの支持体の平面図と正面図とシートの概要図である。
【図２】本考案の実施形態に係る可搬式撮影スタジオキットの支持体を広げた場合の平面図と正面図である。
【図３】本考案の実施形態に係る可搬式撮影スタジオキットの支持体を床面に設置した場合の斜視図（図３Ａ）と、回動パイプを回動させた場合の斜視図（図３Ｂ）と、である。
【図４】本考案の実施形態に係る可搬式撮影スタジオキットの伸縮パイプを伸ばした場合の斜視図（図４Ａ）と、シートの端部を把持部で把持した場合の斜視図（図４Ｂ）と、である。
【図５】本考案の実施形態に係る可搬式撮影スタジオキットを展開して写真撮影する場合の斜視図である。
【図６】本考案の実施形態に係る可搬式撮影スタジオキットの支持体を床面に設置して回動パイプを回動させた場合の斜視図（図６Ａ）と、支持体を碗状にして伸縮パイプを伸ばした場合の斜視図（図６Ｂ）と、である。
【図７】本考案の実施形態に係る可搬式撮影スタジオキットのシートの端部を把持部で把持した場合の斜視図（図７Ａ）と、シートの両端を二つの把持部で把持した場合の斜視図（図７Ｂ）と、である。
【図８】本考案の実施形態に係る可搬式撮影スタジオキットの回動パイプの回動角度や伸縮パイプの伸度を調整した場合の正面視斜視図（図８Ａ）と、背面視斜視図（図８Ｂ）と、である。
【図９】本考案の実施形態に係る可搬式撮影スタジオキットを展開して写真撮影する場合の斜視図である。
【図１０】実施例の可搬式撮影スタジオキットを正面から撮影した正面写真である。
【図１１】実施例の可搬式撮影スタジオキットで被写体を平面視と側面視から撮影した二枚の写真（図１１Ａ）と、被写体に近づいて側面視からシートを含むように被写体を撮影した写真（図１１Ｂ）と、である。
【図１２】他の可搬式撮影スタジオキットの支持体の平面図と斜視図と展開図とである。
【図１３】応用の可搬式撮影スタジオキットの支持体の平面図と斜視図とである。
【図１４】応用の可搬式撮影スタジオキットの回動パイプを回動させた場合の斜視図（図１４Ａ）と、小回動パイプを回動させた場合の斜視図（図１４Ｂ）と、である。
【図１５】応用の可搬式撮影スタジオキットにおいて小把持部で第二のシートを広げた場合の斜視図である。
【図１６】応用の可搬式撮影スタジオキットにおいて把持部で第一のシートを広げた場合の斜視図である。
【図１７】図１６に示す撮影スタジオで撮影した写真の一例である。
【図１８】応用の可搬式撮影スタジオキットにおいて把持部で第一のシートだけを広げた場合の斜視図である。
【図１９】図１８に示す撮影スタジオで撮影した写真の一例である。
【図２０】二つの可搬式撮影スタジオキットの斜視図と展開図とである。
【図２１】二つの可搬式撮影スタジオキットをそれぞれ並列して枠体を把持させる際の斜視図である。
【図２２】二つの可搬式撮影スタジオキットで枠体を大型把持部で把持させた場合の側面視斜視図である。
【図２３】二つの可搬式撮影スタジオキットで枠体を大型把持部で把持させた場合の斜視図である。
【図２４】二つの可搬式撮影スタジオキットにおいて枠体の上にシートを展開して固定させた場合の斜視図である。
【考案を実施するための形態】
【００２４】
以下に、添付図面を参照して、本考案の実施形態について説明し、本考案の理解に供する。尚、以下の実施形態は、本考案を具体化した一例であって、本考案の技術的範囲を限定する性格のものではない。
【００２５】
本考案の実施形態に係る可搬式撮影スタジオキット１は、図１、図２に示すように、支持体１０と、二本の回動パイプ１１ａ、１１ｂと、二本の伸縮パイプ１２ａ、１２ｂと、二つの把持部１３ａ、１３ｂと、シート１４と、を備える。
【００２６】
支持体１０は、ベースとなるベースパイプ１０ａの両端１０ａ１、１０ａ２に、ベースパイプ１０ａの長手方向と垂直に二本の端部パイプ１０ｂ、１０ｃをそれぞれ接続している。
【００２７】
図１では、ベースパイプ１０ａが二本の端部パイプ１０ｂ、１０ｃのそれぞれの中央の位置で接続しているため、支持体１０は、平面視でＨ字状に構成されている。
【００２８】
二本の回動パイプ１１ａ、１１ｂは、一端１１ａ１、１１ｂ２を、二本の端部パイプ１０ｂ、１０ｃのそれぞれに軸支して、端部パイプ１０ｂ、１０ｃの回りに回動可能に連結させ、且つ、ベースパイプ１０ａと並列可能である。
【００２９】
図１では、第一の回動パイプ１１ａは、ベースパイプ１０ａの右側に設けられた第一の端部パイプ１０ｂの前側に軸支され、ベースパイプ１０ａの長手方向の長さよりも短い長さで構成され、ベースパイプ１０ａと並列して収められている。又、第二の回動パイプ１１ｂは、ベースパイプ１０ａの左側に設けられた第二の端部パイプ１０ｃの後側に軸支され、ベースパイプ１０ａの長手方向の長さよりも短い長さで構成され、ベースパイプ１０ａと並列して収められている。
【００３０】
次に、二本の伸縮パイプ１２ａ、１２ｂは、一端１２ａ１、１２ｂ１を、二本の回動パイプ１１ａ、１１ｂの他端１１ａ２、１１ｂ２のそれぞれに、回動パイプ１１ａ、１１ｂの長手方向に沿って伸縮可能に設けられている。
【００３１】
図１では、二本の伸縮パイプ１２ａ、１２ｂのそれぞれは、二本の回動パイプ１１ａ、１１ｂのそれぞれに収納可能に設けられ、二本の伸縮パイプ１２ａ、１２ｂの一端１２ａ１、１２ｂ１のそれぞれが、二本の回動パイプ１１ａ、１１ｂの内部のそれぞれに挿入され、二本の伸縮パイプ１２ａ、１２ｂのそれぞれが、二本の回動パイプ１１ａ、１１ｂのそれぞれから抜き差しされることで、伸縮可能に構成されている。
【００３２】
更に、二つの把持部１３ａ、１３ｂは、二本の伸縮パイプ１２ａ、１２ｂの他端１２ａ２、１２ｂ２のそれぞれに設けられている。図１では、二つの把持部１３ａ、１３ｂのそれぞれは、クリップとして構成されている。
【００３３】
そして、本考案に係る可搬式撮影スタジオキット１は、図３Ａに示すように、支持体１０を床面Ｆに設置し、二本の回動パイプ１１ａ、１１ｂのそれぞれをベースパイプ１０ａから回動させて、図３Ｂに示すように、支持体１０と二本の回動パイプ１１ａ、１１ｂとで碗状に構成する。
【００３４】
次に、本考案に係る可搬式撮影スタジオキット１は、図４Ａに示すように、二本の回動パイプ１１ａ、１１ｂのそれぞれに収縮された二本の伸縮パイプ１２ａ、１２ｂを伸ばして、図４Ｂに示すように、シート１４の上方の両端１４ａ、１４ｂのそれぞれを、二本の伸縮パイプ１２ａ、１２ｂにおける二つの把持部１３ａ、１３ｂのそれぞれに把持することで、図５に示すように、シート１４を上下左右の四方向に広げ、シート１４の背面に、カメラ用の光源Ｌを設けることで、撮影スタジオを構成する。ここでは、光源Ｌは、例えば、カメラの撮影と連動して発光するストロボとしているが、常時発光する照明であっても構わない。
【００３５】
これにより、綺麗な写真を撮影出来る撮影用背景を簡単に作ることが出来るとともに、軽く、小さく、女性一人でもコンパクトに折り畳んで持ち運びすることが可能となる。
【００３６】
即ち、カメラマンが、支持体１０を床面Ｆに設置して、碗状に展開して、シート１４を上下左右の四方向に広げることで、皺が生じないシート１４を綺麗に吊り下げることが可能となる。これにより、皺の無い綺麗な撮影用の背景を簡単に形成することが可能となり、綺麗な写真を撮影することが可能となる。
【００３７】
ここで、支持体１０は、ベースパイプ１０ａの両端１０ａ１、１０ａ２に二本の端部パイプ１０ｂ、１０ｃをそれぞれ接続している構成されていることから、展開後の支持体１０を床面Ｆに安定に立位可能な構成としている。特に、支持体１０は、平面視でＨ字状に構成されているため、床面Ｆに安定に設置される。
【００３８】
又、回動パイプ１１ａ、１１ｂの回動角度や伸縮パイプ１２ａ、１２ｂの伸度も任意に決めることが出来るため、カメラマンは、撮影場所の条件に応じて、回動パイプ１１ａ、１１ｂの回動角度や伸縮パイプ１２ａ、１２ｂの伸度を調整して、撮影場所に適した撮影用の背景を作り出すことが可能となる。
【００３９】
例えば、シート１４は長めのシートを用意し、図６Ａに示すように、支持体１０を床面Ｆに設置し、ベースパイプ１０ａから二本の回動パイプ１１ａ、１１ｂのそれぞれを展開して、図６Ｂに示すように、支持体１０と二本の回動パイプ１１ａ、１１ｂとで碗状に構成する。次に、二本の伸縮パイプ１２ａ、１２ｂを伸ばして、図７Ａに示すように、シート１４の下方の部分を床面Ｆに広げるとともに、シート１４の上方の両端１４ａ、１４ｂのそれぞれを、二つの把持部１３ａ、１３ｂのそれぞれに把持して、図７Ｂに示すように、シート１４を床面Ｆに広げる。
【００４０】
ここで、回動パイプ１１ａ、１１ｂの回動角度を大きくしたり、伸縮パイプ１２ａ、１２ｂの伸度を大きくしたりすることで、図８Ａに示すように、シート１４の上方の部分を上下方向に立位させるとともに、シート１４を床面Ｆに沿って前方に曲げて、シート１４の下方の部分を床面Ｆに展開させる。これにより、シート１４の上方の部分から下方の部分まで連続して湾曲した背景壁面として機能させることが出来る。又、撮影場所に合わせて、背景壁面を広げたり狭めたりすることが出来る。
【００４１】
そして、図８Ｂに示すように、シート１４の背面には、所定の空間が出来ることから、この場所に光源Ｌを設置することで、簡単に撮影スタジオ１を構成することが出来る。図９に示すように、カメラマンは、床面Ｆに展開したシート１４に被写体（例えば、赤ちゃん）を置いて、被写体の写真を撮影すると、連続した皺の無いシート１４が撮影用の背景となるため、綺麗な写真を撮影することが出来る。
【００４２】
更に、顧客の自宅や住居のように生活品が溢れている撮影場所であっても、シート１４を吊り下げて、撮影用の背景とすることで、生活品をシート１４で隠した上で、シート１４を背景とした被写体（赤ちゃん）の写真を撮影することが出来る。
【００４３】
ここで、光源Ｌで発光されるシート１４は、バックドロップやハングアップ、レフ板、メインライト、ディフューザーとしても有効である。特に、シート１４の背面に光源Ｌを設けることで、被写体（赤ちゃん）の背景から光を照射し、透け感がある綺麗な写真を撮影することが出来る。このような背景からの光を作り出す手法を逆光のライティングといい、綺麗な写真を撮影するための高度な手法であるが、本考案では、このような高度な手法であっても、容易に行うことが出来るようになる。
【００４４】
一方で、支持体１０の展開は、極めて簡単に実施することが出来るため、組立も簡易であり、且つ、誰でも簡単に展開することが出来る。
【００４５】
特に、本考案では、支持体１０を最小限の部品点数で構成するとともに、小さくコンパクトにすることが出来る。つまり、本考案では、支持体１０において、伸縮パイプ１２ａ、１２ｂを回動パイプ１１ａ、１１ｂに伸縮可能とし、回動パイプ１１ａ、１１ｂをベースパイプ１０ａに対して回動可能に構成している。そのため、伸縮パイプ１２ａ、１２ｂを回動パイプ１１ａ、１１ｂに収縮させるとともに、回動パイプ１１ａ、１１ｂをベースパイプ１０ａと並列に並べて収納すれば、極めて小さくすることが出来る。例えば、小さくした支持体１０とシート１４を袋やスーツケース等のケースに収納することで、簡単に持ち運びすることが出来る。このように、全体として軽量で、且つ、コンパクト化することが出来るため、女性一人でも簡単に持ち運ぶことが可能となるのである。又、本考案では、部品点数が少ないことから、量産化にも優れている。
【００４６】
このように、本考案に係る可搬式撮影スタジオキット１では、ニューボーンフォト等の出張撮影サービスに最適である。
【００４７】
ここで、支持体１０のベースパイプ１０ａと二本の端部パイプ１０ｂ、１０ｃと二本の回動パイプ１１ａ、１１ｂと二本の伸縮パイプ１２ａ、１２ｂとのそれぞれを構成するパイプの種類に特に限定は無いが、例えば、ステンレス管、鋼管、アルミ管、樹脂管等を挙げることが出来る。又、パイプの形状に特に限定は無いが、例えば、円柱、円筒、四角柱、四角筒等を挙げることが出来る。更に、パイプの長手方向の長さに特に限定は無いが、収納性や搬送性を考慮すると、例えば、ベースパイプ１０ａと二本の回動パイプ１１ａ、１１ｂと二本の伸縮パイプ１２ａ、１２ｂとは、５０ｃｍ〜７０ｃｍの範囲内であると、袋やケースに収納し易くなり、好ましい。又、二本の端部パイプ１０ｂ、１０ｃは、２０ｃｍ〜４０ｃｍの範囲内であると、袋やケースに収納し易くなり、好ましい。
【００４８】
又、ベースパイプ１０ａと二本の端部パイプ１０ｂ、１０ｃとのそれぞれの長さに特に限定は無いが、例えば、図１に示すように、二本の端部パイプ１０ｂ、１０ｃをそれぞれ同じ長さにするとともに、ベースパイプ１０ａの長さを二本の端部パイプ１０ｂ、１０ｃの長さよりも長めにすることが出来る。
【００４９】
又、ベースパイプ１０ａと二本の回動パイプ１１ａ、１１ｂと二本の伸縮パイプ１２ａ、１２ｂとのそれぞれの長さに特に限定は無いが、例えば、ベースパイプ１０ａの長さを最も長くし、二本の回動パイプ１１ａ、１１ｂの長さをベースパイプ１０ａの長さよりも所定の長さだけ短くし、二本の伸縮パイプ１２ａ、１２ｂの伸ばした長さを二本の回動パイプ１１ａ、１１ｂの長さと同等又は所定の長さだけ短くすることが出来る。これにより、二本の伸縮パイプ１２ａ、１２ｂを二本の回動パイプ１１ａ、１１ｂに収縮するとともに、二本の回動パイプ１１ａ、１１ｂをベースパイプ１０ａに対して折り畳むことで、支持体１０の全体をコンパクトにすることが可能となる。
【００５０】
又、二本の端部パイプ１０ｂ、１０ｃの両端のそれぞれに、ゴム素材等の滑り止め部を設けると好ましい。これにより、支持体１０を床面Ｆに設置した際に、二本の端部パイプ１０ｂ、１０ｃの両端のそれぞれに設けられた滑り止め部が床面Ｆと接触し、床面Ｆに対して滑り止め作用が働き、展開後の支持体１０を床面Ｆに安定に立位させることが出来る。
【００５１】
又、二つの把持部１３ａ、１３ｂの構成に特に限定は無いが、例えば、市販のクリップやクランプ等を挙げることが出来る。二つの把持部１３ａ、１３ｂの連結方法に特に限定は無いが、例えば、紐やチェーン等の連結部材により、二つの把持部１３ａ、１３ｂを二本の伸縮パイプ１２ａ、１２ｂの他端１２ａ２、１２ｂ２のそれぞれに連結する方法を挙げることが出来る。
【００５２】
又、シート１４の種類に特に限定は無いが、例えば、光拡散反射用シートやバックシート等を挙げることが出来る。シート１４の材質に特に限定は無いが、例えば、布や紙、樹脂等を挙げることが出来る。又、シート１４は、二つの把持部１３ａ、１３ｂにより上方から下方に向けて吊り下げられることから、多少の伸縮性を有すると好ましい。
【００５３】
又、本考案の実施形態に係る可搬式撮影スタジオキット１では、上述の構成の他に、更に、他の機能を追加しても構わない。
【００５４】
さて、本考案の実施形態に係る可搬式撮影スタジオキット１の作用効果について説明する。例えば、カメラマンが、図１−図９に基いて、本考案の実施形態に係る可搬式撮影スタジオ１を実施例として用意した。
【００５５】
次に、カメラマンが、所定の撮影場所で可搬式撮影スタジオキット１を展開し、シート１４の背面に光源Ｌを設置して、光源Ｌを発光させると、図１０に示すように、シート１４の全面が均一に発光するとともに、皺が生じない綺麗な背景が出来上がることが理解させる。
【００５６】
そこで、カメラマンが、シート１４の近傍に被写体（例えば、赤ちゃんの模型）を設置して、被写体を平面視と側面視から写真撮影すると、図１１Ａに示すように、均一な光が照射された綺麗な写真や透け感がある綺麗な写真を簡単に撮影することが出来る。又、カメラマンが、被写体に近づいて側面視からシート１４を含むように被写体を写真撮影すると、図１１Ｂに示すように、背景が綺麗な被写体の写真を簡単に撮影することが出来る。
【００５７】
このように、本考案は、綺麗な写真を撮影出来る撮影環境を簡単に作ることが出来るとともに、軽く、小さく、女性一人でもコンパクトに折り畳んで持ち運びすることが可能となる。
【００５８】
ところで、上述では、支持体１０を、平面視でＨ字状に構成され、第一の回動パイプ１１ａは、ベースパイプ１０ａの右側に設けられた第一の端部パイプ１０ｂの前側に軸支され、第二の回動パイプ１１ｂは、ベースパイプ１０ａの左側に設けられた第二の端部パイプ１０ｃの後側に軸支されているが、このような構成に特に限定する必要は無い。例えば、図１２に示すように、二本の端部パイプ１０ｂ、１０ｃのそれぞれの前側にベースパイプ１０ａを接続することで、支持体１０を平面視でコの字状に構成し、第一の回動パイプ１１ａを、ベースパイプ１０ａの右側に設けられた第一の端部パイプ１０ｂの後側に軸支し、第二の回動パイプ１１ｂを、ベースパイプ１０ａの左側に設けられた第二の端部パイプ１０ｃの中央に軸支した構成でも構わない。第一の回動パイプ１１ａの位置は、第二の回動パイプ１１ｂの位置と交換しても構わない。このように構成したとしても、二本の回動パイプ１１ａ、１１ｂのそれぞれをベースパイプ１０ａから回動させて、支持体１０と二本の回動パイプ１１ａ、１１ｂとで碗状に構成することが出来るため、上述と同様に、綺麗な写真を撮影出来る撮影用背景を簡単に作ることが可能となる。
【００５９】
又、本考案に係る可搬式撮影スタジオキット１は、応用例として、図１３に示すように、支持体１０と、二本の回動パイプ１１ａ、１１ｂと、二本の伸縮パイプ１２ａ、１２ｂと、二つの把持部１３ａ、１３ｂと、第一のシート１４１に加えて、二本の小回動パイプ２１ａ、２１ｂと、二本の小伸縮パイプ２２ａ、２２ｂと、二つの小把持部２３ａ、２３ｂと、第二のシート１４２と、を備えても良い。
【００６０】
図１３では、二本の端部パイプ１０ｂ、１０ｃのそれぞれの前側の中央よりにベースパイプ１０ａを接続することで、支持体１０を平面視で略コの字状に構成し、第一の回動パイプ１１ａを、第一の端部パイプ１０ｂの中央に軸支し、第二の回動パイプ１１ｂを、第二の端部パイプ１０ｃの後側に軸支した構成である。
【００６１】
二本の小回動パイプ２１ａ、２１ｂは、長手方向の長さを、回動パイプ１１ａ、１１ｂの長手方向の長さよりも短くし、一端２１ａ１、２１ｂ１を、二本の端部パイプ１０ｂ、１０ｃのうち、二本の回動パイプ１１ａ、１１ｂのそれぞれが軸支された二つの位置と異なる二つの位置で、且つ、相互に対向する二つの位置のそれぞれに軸支して、端部パイプ１０ｂ、１０ｃの回りに回動可能に連結させ、且つ、ベースパイプ１０ａと並列可能である。
【００６２】
図１３では、二本の小回動パイプ２１ａ、２１ｂの長手方向の長さは、ベースパイプ１０ａの長手方向の長さの１／３〜１／２の範囲内の長さであり、第一の小回動パイプ２１ａは、第一の端部パイプ１０ｂの前側に軸支され、第二の小回動パイプ２１ｂは、第一の小回動パイプ２１ａと対向するように、第二の端部パイプ１０ｃの前側に軸支される。
【００６３】
二本の小伸縮パイプ２２ａ、２２ｂは、一端２２ａ１、２２ｂ１を、二本の小回動パイプ２１ａ、２１ｂの他端２１ａ２、２１ｂ２のそれぞれに、小回動パイプ２１ａ、２１ｂの長手方向に沿って伸縮可能に設けられる。二つの小把持部２３ａ、２３ｂは、二本の小伸縮パイプ２２ａ、２２ｂの他端２２ａ２、２２ｂ２のそれぞれに設けられる。
【００６４】
二つの小把持部２３ａ、２３ｂとは、例えば、クリップで構成され、二本の小伸縮パイプ２２ａ、２２ｂの他端２２ａ２、２２ｂ２のそれぞれに予め設けられた環状のフック部に吊り下げられている。尚、二つの把持部１３ａ、１３ｂも同様である。
【００６５】
ここで、図１３では、二本の伸縮パイプ１２ａ、１２ｂの他端１２ａ２、１２ｂ２のそれぞれに、二つの把持部１３ａ、１３ｂに加えて、二つの大型把持部１５ａ、１５ｂを設け、二本の小伸縮パイプ２２ａ、２２ｂの他端２２ａ２、２２ｂ２のそれぞれに、二つの小把持部２３ａ、２３ｂに加えて、二つの大型把持部２５ａ、２５ｂを設けている。二つの大型把持部１５ａ、１５ｂと、二つの大型把持部２５ａ、２５ｂとは、例えば、長尺の棒を装着可能な構成である。これらの大型把持部１５ａ、１５ｂ、２５ａ、２５ｂの使用方法は、後述する。
【００６６】
そして、本考案に係る可搬式撮影スタジオキット１は、図１４Ａに示すように、支持体１０を床面Ｆに設置し、二本の回動パイプ１１ａ、１１ｂと二本の小回動パイプ２１ａ、２１ｂとのそれぞれをベースパイプ１０ａから回動させて、図１４Ｂに示すように、支持体１０と二本の回動パイプ１１ａ、１１ｂと二本の小回動パイプ２１ａ、２１ｂとで碗状に構成する。又、二本の回動パイプ１１ａ、１１ｂと二本の小回動パイプ２１ａ、２１ｂとのそれぞれに収縮された二本の伸縮パイプ１２ａ、１２ｂと二本の小伸縮パイプ２２ａ、２２ｂとを伸ばす。
【００６７】
そして、図１５に示すように、第二のシート１４２の上方の両端１４２ａ、１４２ｂのそれぞれを、二本の小伸縮パイプ２２ａ、２２ｂにおける二つの小把持部２３ａ、２３ｂのそれぞれに把持し、図１６に示すように、第一のシート１４１の上方の両端１４１ａ、１４１ｂのそれぞれを、二本の伸縮パイプ１２ａ、１２ｂにおける二つの把持部１３ａ、１３ｂのそれぞれに把持する。これにより、第一のシート１４１と第二のシート１４２とで二重の壁面とする。尚、ここでは、第二のシート１４２の把持を先に行い、第一のシート１４１の把持を後に行ったが、この順番が逆になっても構わない。そして、この壁面の背面に、カメラ用の光源Ｌを設けることで、撮影スタジオを構成する。
【００６８】
これにより、綺麗な写真を撮影出来る撮影用背景を簡単に作ることが出来るとともに、軽く、小さく、女性一人でもコンパクトに折り畳んで持ち運びすることが可能となる。
【００６９】
特に、この構成では、二重の壁面とすることで、光源Ｌの光が、被写体に直接届かないようにしながら、被写体の一部分（例えば、赤ちゃんの顔）の辺りを柔らかい光で照らすことが出来る。
【００７０】
例えば、図１６に示す撮影スタジオで赤ちゃんの模型を撮影すると、図１７に示すように、赤ちゃんの顔の部分に直接光が行かないため、顔の輪郭が綺麗に撮影することが可能となる。又、光が二重の壁面で反射されて、赤ちゃんの周囲に周って背景を明るくすることが可能となる。
【００７１】
一方、図１８に示すように、二本の小回動パイプ２１ａ、２１ｂ等を使用せずに、第二のシート１４２を二つの小把持部２３ａ、２３ｂで持ち上げずに、図５と同様に、そのまま床面に広げた形で簡易スタジオを構成することも可能である。例えば、図１８に示す撮影スタジオで、上述と同様に、赤ちゃんの模型を撮影すると、図１９に示すように、赤ちゃんの顔の部分に光が強く照射されるため、顔の輪郭がぼやけた形態の写真を撮影することが可能となる。
【００７２】
つまり、二本の小回動パイプ２１ａ、２１ｂ等を使用したりしなかったりすることで、撮影環境に合わせて、光源Ｌの光量を適切に調整することが可能となるため、どのような場所であっても、綺麗な写真を撮影することが可能となる。
【００７３】
尚、二枚のシート１４１、１４２の種類に特に限定は無いが、例えば、上方まで立て掛けることが可能な第一のシート１４１は、例えば、薄手の光拡散反射用シートやバックシート等とし、床面Ｆに展開する第二のシート１４２は、例えば、光を透過し難い厚手のシート等であると、光源Ｌの光量の調整が容易となり、好ましい。
【００７４】
さて、本考案に係る可搬式撮影スタジオキット１を二つ用意することで、異なる形態の撮影スタジオを構成することも可能である。例えば、図２０に示すように、二つの可搬式撮影スタジオキット１ａ、１ｂを用意し、それぞれの可搬式撮影スタジオキット１ａ、１ｂについて、一方の回動パイプ１１ａをベースパイプ１０ａから回動させるとともに、一方の回動パイプ１１ａの位置に対向する位置の一方の小回動パイプ２１ｂをベースパイプ１０ａから回動させることで、支持体１０と一方の回動パイプ１１ａと他方の小回動パイプ２１ｂとで碗状に構成する。ここで、他方の小回動パイプ２１ｂの長手方向の長さは、一方の回動パイプ１１ａの長手方向の長さよりも短いため、他方の小回動パイプ２１ｂの先端側の他方の小把持部２３ｂと他方の大型把持部２５ｂの位置は、一方の回動パイプ１１ａの先端側の一方の把持部１３ａと一方の大型把持部１５ａの位置よりも低くなる。この両端の把持部の位置が異なることが重要になる。
【００７５】
更に、図２１に示すように、二つの可搬式撮影スタジオキット１ａ、１ｂをそれぞれ並列するとともに、二つの可搬式撮影スタジオキット１ａ、１ｂのそれぞれの一方の回動パイプ１１ａを後方に位置させ、他方の小回動パイプ２１ｂを前方に位置させる。
【００７６】
ここで、半円状の枠体１６を用意し、図２２に示すように、二つの可搬式撮影スタジオキット１ａ、１ｂにおいて、一方の回動パイプ１１ａの一方の大型把持部１５ａに枠体１６の後方を把持させるとともに、他方の小回動パイプ２１ｂの他方の大型把持部２５ｂに枠体１６の前方を把持させることで、枠体１６を略斜めの状態に保持させる。
【００７７】
枠体１６の構成に特に限定は無く、例えば、図２１に示すように、長尺の棒を半円状にたわませて、棒の両端を紐で接続した構成でも良いし、円状の枠体でも、四角状の枠体や多角状の枠体でも良い。又、大型把持部１５ａ、１５ｂ、２５ａ、２５ｂは、断面視でＣの字状の形態であり、図２２に示すように、Ｃの字状の両端が装着することで、円筒状の形態となり、長尺の棒が装着される。
【００７８】
ここで、一方の回動パイプ１１ａから一方の伸縮パイプ１２ａを伸ばすことで、一方の大型把持部１５ａの位置を調整することが出来る。又、他方の小回動パイプ２１ｂから他方の小伸縮パイプ２２ｂを伸ばすことで、他方の大型把持部２５ｂの位置を調整することが出来る。このように、大型把持部１５ａ、１５ｂ、２５ａ、２５ｂの位置の調整により、枠体１６の傾斜具合を適切に調整することが可能となる。
【００７９】
そして、図２３に示すように、枠体１６の中央付近の床面ＦにクッションＣを設置し、図２４に示すように、枠体１６の上面からシート１４を被せて、シート１４の周りで枠体１６が沿っている部分を複数の枠体用把持部１７で把持することで、クッションＣの上面にシート１４を覆って、綺麗な背景を有する撮影スタジオを構成する。クッションＣに被写体を載せることで、綺麗な背景における被写体の写真を撮影することが出来る。このように構成しても、綺麗な写真を撮影出来る撮影環境を簡単に作ることが出来るとともに、軽く、小さく、女性一人でもコンパクトに折り畳んで持ち運びすることが可能となる。
【００８０】
使用していない他方の回動パイプ１１ｂは、適度に回動させて、他方の把持部１３ｂや他方の大型把持部１５ｂに花等の装飾物Ｓを把持させることで、背景に装飾物を表して、オリジナルで、綺麗な写真を撮影することも可能となる。尚、使用していない一方の小回動パイプ２１ａも同様に使用することが出来る。
【００８１】
尚、上述では、二つの把持部１３ａ、１３ｂと、二つの小把持部２３ａ、２３ｂをクリップとし、四つの大型把持部１５ａ、１５ｂ、２５ａ、２５ｂとをＣの字状の形態として、両者の機能を分けたが、このような形態に限定する必要は無い。例えば、二つの把持部１３ａ、１３ｂと、二つの小把持部２３ａ、２３ｂが、シーツ１４を把持可能で、且つ、枠体１６を把持可能な構成であれば、四つの大型把持部１５ａ、１５ｂ、２５ａ、２５ｂは省略しても構わない。
【産業上の利用可能性】
【００８２】
以上のように、本考案は、出張撮影サービスに限らず、どのような撮影場所であっても綺麗な写真を撮影するための可搬式撮影スタジオキットとして有用であり、綺麗な写真を撮影出来る撮影環境を簡単に作ることが出来るとともに、軽く、小さく、女性一人でもコンパクトに折り畳んで持ち運びすることが可能な可搬式撮影スタジオキットとして有効である。
【符号の説明】
【００８３】
１    可搬式撮影スタジオキット
１０  支持体
１１ａ、１１ｂ  回動パイプ
１２ａ、１２ｂ  伸縮パイプ
１３ａ、１３ｂ  把持部
１４  シート
２１ａ、２１ｂ  小回動パイプ
２２ａ、２２ｂ  小伸縮パイプ
２３ａ、２３ｂ  小把持部
【図１】
0003232875.tif 000003
【図２】
0003232875.tif 000004
【図３】
0003232875.tif 000005
【図４】
0003232875.tif 000006
【図５】
0003232875.tif 000007
【図６】
0003232875.tif 000008
【図７】
0003232875.tif 000009
【図８】
0003232875.tif 000010
【図９】
0003232875.tif 000011
【図１０】
0003232875.tif 000012
【図１１】
0003232875.tif 000013
【図１２】
0003232875.tif 000014
【図１３】
0003232875.tif 000015
【図１４】
0003232875.tif 000016
【図１５】
0003232875.tif 000017
【図１６】
0003232875.tif 000018
【図１７】
0003232875.tif 000019
【図１８】
0003232875.tif 000020
【図１９】
0003232875.tif 000021
【図２０】
0003232875.tif 000022
【図２１】
0003232875.tif 000023
【図２２】
0003232875.tif 000024
【図２３】
0003232875.tif 000025
【図２４】
0003232875.tif 000026